(57)【要約】      （修正有）【課題】小便時に容易に男性器を出し入れすることができる男性用のパンツを提供する。【解決手段】前面の下端部１０２ａの中央部に男性器を出し入れするための開口１１０が設けられており、当該開口１１０にはスライドファスナ２００が取り付けられている。前面、後面の上端部１０２ａ、１０２ｂがタック編で編まれている。パンツ１００の前面の上端部１０２ａと下端部１０１との間には、タック編で編まれた略菱形状の編地１０３が設けられている。この略菱形状の編地１０３はその頂部が上端部１０２ａと連続するように編まれている。【選択図】図１
0003107923.tif 000002
【実用新案登録請求の範囲】
【請求項１】
前面の下端部の中央部に男性器を出し入れするための開口が設けられており、当該開口にはスライドファスナが取り付けられていることを特徴とする男性用のパンツ。
【請求項２】
請求項１記載の男性用のパンツにおいて、上端部がタック編で編まれた略リング状の編地で構成されていることを特徴とする男性用のパンツ。
【請求項３】
請求項２記載の男性用のパンツにおいて、後面は、前記上端部の中央部から尻の下部に接触可能な部分にかけてタック編で編まれた略山字状の編地が設けられていることを特徴とする男性用のパンツ。
【請求項４】
請求項２記載の男性用のパンツにおいて、前面の上端部と下端部との間には、タック編で編まれた略菱形状の編地が設けられており、当該略菱形状の編地の幅寸法は下腹部の幅領域の略全部に接触可能な程度の大きさとしていることを特徴とする男性用のパンツ。
【請求項５】
請求項４記載の男性用のパンツにおいて、前記略菱形状の編地はその頂部が上端部と連続するように編まれていることを特徴とする男性用のパンツ。
【請求項６】
請求項１記載の男性用のパンツにおいて、有機ゲルマニウムが練り込まれた糸により構成されていることを特徴とする男性用のパンツ。
【考案の詳細な説明】
【技術分野】
【０００１】
本考案は男性用のパンツに関する。
【背景技術】
【０００２】
この種のパンツは、パンツ本体に小便時に男性器を出し入れするための開口が設けられており、この開口はパンツ本体に取り付けられた生地で覆われている( 特許文献１参照) 。
【０００３】
【特許文献１】特開平２００１−０４０５０３号公報
【考案の開示】
【考案が解決しようとする課題】
【０００４】
ところが、前記開口を前記生地で覆うと男性器の出し入れが困難である。このため、一部のユーザは男性器を前記開口から出し入れせず、パンツ本体の脚を挿入するための挿脱口等から出し入れするようにしている。
【０００５】
本考案は、上記事情に鑑みて創案されたものであって、その目的とするところは、小便時に容易に男性器を出し入れすることができる男性用のパンツを提供することにある。
【課題を解決するための手段】
【０００６】
上記課題を解決するために、本考案の男性用のパンツは、前面の下端部の中央部に男性器を出し入れするための開口が設けられており、当該開口にはスライドファスナが取り付けられていることを特徴としている。
【０００７】
このパンツは、上端部がタック編で編まれた略リング状の編地で構成されている。パンツの後面には、前記上端部の中央部から尻の下部に接触可能な部分にかけてタック編で編まれた略山字状の編地が設けられている。また、パンツの前面の上端部と下端部との間には、タック編で編まれた略菱形状の編地が設けられており、その幅寸法は下腹部の幅領域の略全部に接触可能な程度の大きさとなっている。この略菱形状の編地はその頂部が上端部と連続するように編まれている。このような男性用のパンツは有機ゲルマニウムが練り込まれた糸により構成されていることが好ましい。
【考案の効果】
【０００８】
本考案の請求項１に係る男性用のパンツによる場合、男性器を出し入れするための開口にスライドファスナが取り付けられている。即ち、スライドファスナをスライドさせるだけで前記開口が大きく開けることができるので、男性器の出し入れが容易になり、使い勝手のパンツとすることができる。
【０００９】
本考案の請求項２に係る男性用のパンツによる場合、上端部がタック編で編まれた略リング状の編地で構成されている。タック編の編地は上下方向には伸びるものの左右方向には伸びない性質を有しているので、略リング状の編地により肥満等により出た下腹部を引き締めることができる。
【００１０】
本考案の請求項３に係る男性用のパンツによる場合、後面には上端部の中央部から尻の下部に接触可能な部分にかけてタック編で編まれた略山字状の編地が設けられている。この略山字状の編地はタック編みであることからパンツの幅方向に伸びない。よって、略山字状の編地が接触する尻の下部を当該尻の中心に向けてヒップアップさせることができる。
【００１１】
本考案の請求項４に係る男性用のパンツによる場合、前面の上端部と下端部との間にはタック編で編まれた略菱形状の編地が設けられており、その幅寸法は下腹部の幅領域の略全部に接触可能な程度の大きさとなっている。この略菱形状の編地はタック編みであることからパンツの幅方向に伸びない。このため、略菱形状の編地が接触する下腹部を引き締めることができる。
【００１２】
本考案の請求項５に係る男性用のパンツによる場合、略菱形状の編地はその頂部が上端部と連続するように編まれている。このため、更に、下腹部を引き締める上で上でメリットがある。
【００１３】
本考案の請求項６に係る男性用のパンツによる場合、有機ゲルマニウムが練り込まれた糸で構成されている。よって、前記糸に練り込まれた有機ゲルマニウムにより、着衣者の体内のインターフェロンを誘起して、疾病への抵抗力を高めたり、着衣者の体内の血流を良くして血圧を下げたり、着衣者の疲労・老化原因を排除して細胞を若返らせたりする効果を得ることができる。
【考案を実施するための最良の形態】
【００１４】
以下、本発明の実施の形態に係る男性用のパンツについて図面を参照しながら説明する。図１は本発明の実施の形態に係る男性用のパンツの正面図、図２は同パンツの背面図である。
【００１５】
図１及び２に示す男性用のパンツ１００は、前面の下端部１０１に開口１１０が設けられており、この開口１１０にはスライドファスナ２００が取り付けられている。このパンツ１００は、前面、後面の上端部１０２ａ、１０２ｂ( 即ち、上端部) がタック編で編まれた略リング状の編地で構成されている。パンツ１００の前面の上端部１０２ａと下端部１０１との間には、タック編で編まれた略菱形状の編地１０３が設けられている。この略菱形状の編地１０３はその頂部が上端部１０２ａと連続するように編まれており、その幅寸法は下腹部の幅領域の略全部に接触可能な程度の大きさとなっている。パンツ１００の後面は上端部１０２ｂの中央部から尻の下部に接触可能な部分にかけてタック編で編まれた略山字状の編地１０４が設けられている。パンツ１００の上端部１０２ａ、１０２ｂ、略菱形状の編地１０３及び略山字状の編地１０４以外の部分１０５については、パイル、無地及び／又はスパイラル編で編まれている。なお、パンツ１００を構成する糸については有機ゲルマニウムが練り込まれた糸を使用する。
【００１６】
このようなパンツ１００は図示しない成型用編み機を用いて前面、後面の上端部１０２ａ、１０２ｂ、略菱形状の編地１０３及び略山字状の編地１０４をタック編で編むと共に、これらの編地と連続するようにその他の部分をパイル、無地及び／又はスパイラル編で編む。これによりパンツ１００を一体的に構成する。そして、パンツ１００の前面の下端部１０１に開口１１０を設け、当該開口１１０にスライドファスナ２００を取り付る。このようにしてパンツ１００は製造される。
【００１７】
このようなパンツ１００による場合、男性器を出し入れするための開口１１０にスライドファスナ２００が取り付けられている。即ち、スライドファスナ２００をスライドさせるだけで開口１１０が大きく開けることができるので、男性器の出し入れが容易になり、使い勝手のパンツとすることができる。しかも、前面、後面の上端部１０２ａ、１０２ｂがタック編で編まれた略リング状の編地で構成されると共に、前面の上端部１０２ａと下端部１０１との間にタック編で編まれた略菱形状の編地１０３が当該上端部１０２と連続するように設けられている。タック編の編地は上下方向には伸びるものの左右方向には伸びない性質を有しているので、肥満等により出た下腹部を引き締めることができる。更に、パンツ１００の後面は上端部１０２ｂの中央部から尻の下部に接触可能な部分にかけてタック編で編まれた略山字状の編地１０４が設けられている。この略山字状の編地１０４もタック編みであることからパンツの幅方向に伸びない。このため、接触する尻の下部を当該尻の中心に向けてヒップアップさせることができる。また、有機ゲルマニウムが練り込まれた糸を使用して構成しているので、この糸の有機ゲルマニウムにより、着衣者の体内のインターフェロンを誘起して、疾病への抵抗力を高めたり、着衣者の体内の血流を良くして血圧を下げたり、着衣者の疲労・老化原因を排除して細胞を若返らせたりする効果を得ることができる。
【００１８】
このパンツ１００は、前面の下端部の中央部に男性器を出し入れするための開口が設けられており、当該開口にはスライドファスナが取り付けられている限りどのような設計変更を行ってもかまわない。即ち、パンツ１００をどのような編地で編むか否か及びその組み合わせは任意である。
【図面の簡単な説明】
【００１９】
【図１】本発明の実施の形態に係る男性用のパンツの正面図である。
【図２】同パンツの背面図である。
【符号の説明】
【００２０】
１００    パンツ
１０１    前面の下端部
１０２ａ  前面の上端部
１０２ｂ  後面の上端部
１０３    略菱形状の編地
１０４    略山字状の編地
１１０    開口
２００    スライドファスナ
【図１】
0003107923.tif 000003
【図２】
0003107923.tif 000004